(57)【要約】【課題】雨水の浸透効率の低下を防ぎ、かつ不陸やガタつきを抑制できる雨水貯留型舗装用ブロックを提供する。【解決手段】一方の嵌合側面３には凸状部１１が、他方の嵌合側面４には凹溝１２が形成され、一方の非嵌合側面５には水平目地保持突条２１と垂直目地保持突条２２が形成され、垂直目地保持突条２２は水平目地保持突条２１に比べて高く、敷設状態において目地砂充填領域に目地砂Ｓが充填される。敷設状態において水平目地保持突条２１と隣り合う雨水貯留型舗装用ブロックＡとの間に隙間ｏが確保でき、その隙間ｏから雨水を流して地中に排出できる。敷設状態において、凸状部１１が凹溝１２に嵌合し、目地砂充填領域に充填された目地砂Ｓにより目地部における荷重分散性能を高められる。【選択図】図１
2013091974.tif 000002
【特許請求の範囲】
【請求項１】
表面と、底面と、対向する位置に配置された一対の嵌合側面と、他の対向する位置に配置された一対の非嵌合側面とから、略直方体に形成されたブロックであって、
一方の前記嵌合側面には、水平方向に延びる凸状部が形成されており、
他方の前記嵌合側面には、前記凸状部が嵌合される凹溝が形成されており、
前記一対の非嵌合側面には、
水平方向に延びる水平目地保持突条が、前記表面との縁の近傍に形成されており、
垂直方向に延びる一対の垂直目地保持突条が、前記一対の嵌合側面との縁から所定間隔を隔てて形成されており、
前記一対の垂直目地保持突条は、その突出高さが前記水平目地保持突条の突出高さに比べて高く形成されており、
前記非嵌合側面のうち、敷設状態において前記水平目地保持突条と前記一対の垂直目地保持突条とで囲まれた領域は、目地砂が充填されない目地砂非充填領域であり、該目地砂非充填領域以外の領域は、敷設状態において目地砂が充填される目地砂充填領域である
ことを特徴とする雨水貯留型舗装用ブロック。
【請求項２】
前記水平目地保持突条は、前記表面との縁に沿って形成されている
ことを特徴とする請求項１記載の雨水貯留型舗装用ブロック。
【請求項３】
前記水平目地保持突条は、前記表面との縁から所定間隔を隔てて形成されている
ことを特徴とする請求項１記載の雨水貯留型舗装用ブロック。
【請求項４】
前記水平目地保持突条は、その上面に、突条の峰に向かって下がる傾斜が形成されている
ことを特徴とする請求項３記載の雨水貯留型舗装用ブロック。
【請求項５】
前記水平目地保持突条は、その上面に、中央から両端に向かって下がる傾斜が形成されている
ことを特徴とする請求項３記載の雨水貯留型舗装用ブロック。
【請求項６】
前記表面には、前記非嵌合側面に対して直行し、該非嵌合側面との縁に端部を有する多数の横溝が形成されている
ことを特徴とする請求項１、２、３、４または５記載の雨水貯留型舗装用ブロック。
【請求項７】
前記非嵌合側面には、前記横溝の端部に連通する多数の縦溝が形成されている
ことを特徴とする請求項６記載の雨水貯留型舗装用ブロック。
【請求項８】
前記目地砂非充填領域に開口を有する空洞部がブロック内部に形成されている
ことを特徴とする請求項１、２、３、４、５、６または７記載の雨水貯留型舗装用ブロック。
【発明の詳細な説明】
【技術分野】
【０００１】
本発明は、雨水貯留型舗装用ブロックに関する。さらに詳しくは、雨水をブロックの内部に貯留する雨水貯留型舗装用ブロックに関する。
【背景技術】
【０００２】
一般に、舗装用ブロックは、隣り合うブロックの間の目地部に目地砂を充填し、ブロックと目地砂との摩擦を高くし、目地部における荷重分散性能（ブロック表面に作用する車輪などの荷重をブロック相互のかみ合わせにより広い範囲に分散させ、路盤に作用する荷重を低減させる性能）を高めることで、舗装用ブロックの不陸やガタつきを抑制している。
一方、雨水貯留型舗装用ブロックは、保水性を有する材料で形成され、場合によってはさらにブロックの内部に雨水を貯留する空洞が形成されたものである。雨水貯留型舗装用ブロックは、一般的な透水性舗装用ブロックに比べて雨水の貯水量が多いため、集中豪雨や河川の氾濫による舗装面の浸水や水溜まりを緩和できる。
【０００３】
一般に、雨水貯留型舗装用ブロックは、ポーラス状のブロック内の空隙に雨水を浸透させてブロックの内部に雨水を貯留した後に地中に排出する他、隣り合うブロックの間の目地に雨水を流してブロックの内部に雨水を貯留した後に、または直接地中に排出する。
そのため、雨水貯留型舗装用ブロックの場合に、目地部に目地砂を充填すると、雨水の浸透効率が低下するという問題がある。また、目地砂にゴミや埃が溜まると、目詰りにより雨水の浸透を妨げるという問題がある。
【０００４】
この点、目地砂を使用しないことにより、目地の目詰りによる雨水の浸透効率の低下を防ぐ技術が提案されている（例えば、特許文献１）。
しかし、目地砂を使用しないことから、目地部における荷重分散性能が極端に低く、雨水貯留型舗装用ブロックの不陸やガタつきが生じやすく、ブロックの破損が生じやすいという問題がある。
【先行技術文献】
【特許文献】
【０００５】
【特許文献１】特開２００２−２６６３０４号公報
【発明の概要】
【発明が解決しようとする課題】
【０００６】
本発明は上記事情に鑑み、雨水の浸透効率の低下を防ぎ、かつ不陸やガタつきを抑制できる雨水貯留型舗装用ブロックを提供することを目的とする。
【課題を解決するための手段】
【０００７】
第１発明の雨水貯留型舗装用ブロックは、表面と、底面と、対向する位置に配置された一対の嵌合側面と、他の対向する位置に配置された一対の非嵌合側面とから、略直方体に形成されたブロックであって、一方の前記嵌合側面には、水平方向に延びる凸状部が形成されており、他方の前記嵌合側面には、前記凸状部が嵌合される凹溝が形成されており、前記一対の非嵌合側面には、水平方向に延びる水平目地保持突条が、前記表面との縁の近傍に形成されており、垂直方向に延びる一対の垂直目地保持突条が、前記一対の嵌合側面との縁から所定間隔を隔てて形成されており、前記一対の垂直目地保持突条は、その突出高さが前記水平目地保持突条の突出高さに比べて高く形成されており、前記非嵌合側面のうち、敷設状態において前記水平目地保持突条と前記一対の垂直目地保持突条とで囲まれた領域は、目地砂が充填されない目地砂非充填領域であり、該目地砂非充填領域以外の領域は、敷設状態において目地砂が充填される目地砂充填領域であることを特徴とする。
第２発明の雨水貯留型舗装用ブロックは、第１発明において、前記水平目地保持突条は、前記表面との縁に沿って形成されていることを特徴とする。
第３発明の雨水貯留型舗装用ブロックは、第１発明において、前記水平目地保持突条は、前記表面との縁から所定間隔を隔てて形成されていることを特徴とする。
第４発明の雨水貯留型舗装用ブロックは、第３発明において、前記水平目地保持突条は、その上面に、突条の峰に向かって下がる傾斜が形成されていることを特徴とする。
第５発明の雨水貯留型舗装用ブロックは、第３発明において、前記水平目地保持突条は、その上面に、中央から両端に向かって下がる傾斜が形成されていることを特徴とする。
第６発明の雨水貯留型舗装用ブロックは、第１、第２、第３、第４または第５発明において、前記表面には、前記非嵌合側面に対して直行し、該非嵌合側面との縁に端部を有する多数の横溝が形成されていることを特徴とする。
第７発明の雨水貯留型舗装用ブロックは、第６発明において、前記非嵌合側面には、前記横溝の端部に連通する多数の縦溝が形成されていることを特徴とする。
第８発明の雨水貯留型舗装用ブロックは、第１、第２、第３、第４、第５、第６または第７発明において、前記目地砂非充填領域に開口を有する空洞部がブロック内部に形成されていることを特徴とする。
【発明の効果】
【０００８】
第１発明によれば、垂直目地保持突条はその突出高さが水平目地保持突条の突出高さに比べて高く形成されているので、敷設状態において水平目地保持突条と隣り合う雨水貯留型舗装用ブロックとの間に隙間が確保でき、その隙間から雨水を流して目地砂非充填領域を通して地中に排出することができる。そのため、雨水の浸透効率の低下を防ぐことができる。また、敷設状態において、嵌合側面を対向させて配置される雨水貯留型舗装用ブロック同士は、一方の凸状部が他方の凹溝に嵌合して目地部における荷重分散性能が高められ、非嵌合側面を対向させて配置される雨水貯留型舗装用ブロック同士は、目地砂充填領域に充填された目地砂により目地部における荷重分散性能を高められる。そのため、雨水貯留型舗装用ブロックの不陸やガタつきを抑制できる。
第２発明によれば、水平目地保持突条は表面との縁に沿って形成されているので、水平目地保持突条と隣り合う雨水貯留型舗装用ブロックとの間の隙間に目地砂が充填されず、非嵌合側面が対向する目地に、ゴミや埃が溜まることがない。そのため、雨水の浸透効率の低下を防ぐことができる。
第３発明によれば、水平目地保持突条は表面との縁から所定間隔を隔てて形成されているので、水平目地保持突条の上方に充填される目地砂の量が少なくなる。そのため、ゴミや埃が目地砂の隙間に入って目地が目詰りすることが抑制される。また、目地が目詰まりした場合であっても、ゴミや埃は自然に、あるいは洗浄で簡単に除去することができる。そのため、雨水の浸透効率の低下を防ぐことができる。
第４発明によれば、水平目地保持突条はその上面に突条の峰に向かって下がる傾斜が形成されているので、ゴミや埃はその傾斜により下方へ落下し、水平目地保持突条の上方に充填された目地砂にゴミや埃が溜まりにくい。そのため、雨水の浸透効率の低下を防ぐことができる。
第５発明によれば、水平目地保持突条はその上面に中央から両端に向かって下がる傾斜が形成されているので、ゴミや埃はその傾斜により下方へ落下し、水平目地保持突条の上方に充填された目地砂にゴミや埃が溜まりにくい。そのため、雨水の浸透効率の低下を防ぐことができる。
第６発明によれば、表面に非嵌合側面との縁に端部を有する多数の横溝が形成されているので、表面に降った雨水はその横溝により非嵌合側面まで導かれ、非嵌合側面が対向する目地に雨水を流して地中に排出することができる。そのため、雨水の浸透効率を高くすることができる。また、横溝で形成される凹凸が滑り止めとなり、雨天時においても歩行や走行の安全を確保できる。
第７発明によれば、表面に形成された横溝の端部に連通する多数の縦溝が非嵌合側面に形成されているので、横溝により非嵌合側面まで導かれた雨水は、縦溝により非嵌合側面が対向する目地の内部に導かれやすくなる。そのため、雨水の浸透効率を高くすることができる。
第８発明によれば、空洞部がブロック内部に形成されているので、その空洞部に雨水を一時貯留した後に地中に排出することで、集中豪雨や河川の氾濫による舗装面の浸水を緩和できる。また、空洞部は目地砂非充填領域に開口を有するので、敷設時に目地砂が空洞部に入り込むことを防止できる。そのため、空洞部の貯水性能を確保できる。
【図面の簡単な説明】
【０００９】
【図１】本発明の第１実施形態に係る雨水貯留型舗装用ブロックの正面図である。
【図２】同雨水貯留型舗装用ブロックの右側面図である。
【図３】同雨水貯留型舗装用ブロックの左側面図である。
【図４】同雨水貯留型舗装用ブロックの平面図である。
【図５】同雨水貯留型舗装用ブロックの背面図である。
【図６】（ａ）図は図３におけるａ部分の拡大図、（ｂ）図は図４におけるｂ部分の拡大図である。
【図７】（ａ）図は同雨水貯留型舗装用ブロックの敷設状態の斜視図であり、（ｂ）図は（ａ）図におけるb矢視図である。
【図８】（ａ）図は同雨水貯留型舗装用ブロックの敷設状態の正面図、（ｂ）図は（ａ）図におけるｃ部分の拡大図である。
【図９】同雨水貯留型舗装用ブロックの敷設状態の正面図である。
【図１０】（ａ）図は図９におけるXa-Xa線矢視断面図、（ｂ）図は（ａ）図におけるｄ部分の拡大図である。
【図１１】（ａ）図は同雨水貯留型舗装用ブロックの斜視図、（ｂ）図は（ａ）図におけるｅ部分の拡大図である。
【図１２】（ａ）図は他の実施形態に係る雨水貯留型舗装用ブロックの斜視図、（ｂ）図は（ａ）図におけるｆ部分の拡大図である。
【図１３】本発明の第２実施形態に係る雨水貯留型舗装用ブロックの正面図である。
【図１４】（ａ）図は同雨水貯留型舗装用ブロックの敷設状態の側面図、（ｂ）図は（ａ）図におけるｇ部分の拡大図である。
【図１５】同雨水貯留型舗装用ブロックの敷設状態の正面図である。
【図１６】（ａ）図は他の実施形態に係る雨水貯留型舗装用ブロックの敷設状態の側面図、（ｂ）図は（ａ）図におけるｉ部分の拡大図である。
【図１７】（ａ）図はさらに他の実施形態に係る雨水貯留型舗装用ブロックの敷設状態の正面、（ｂ）図は（ａ）図におけるｊ部分の拡大図である。
【図１８】さらに他の実施形態に係る雨水貯留型舗装用ブロックの敷設状態の正面図である。
【発明を実施するための形態】
【００１０】
つぎに、本発明の実施形態を図面に基づき説明する。
（第１実施形態）
まず、本発明の第１実施形態に係る雨水貯留型舗装用ブロックＡの形状について説明する。
図１から図５に示すように、雨水貯留型舗装用ブロックＡは、敷設状態において舗装面となる表面１と、底面２と、表面１および底面２の間の４つの側面３、４、５、６とから、略直方体に形成されたブロックである。
以下、説明のため、側面３、４、５、６のうち、対向する位置に配置された一対の側面を嵌合側面３、４と称し、他の対向する位置に配置された一対の側面を非嵌合側面５、６と称する。また、本明細書において水平、垂直は、雨水貯留型舗装用ブロックＡを底面２を水平面に載置した状態における水平、垂直をいう。
【００１１】
一対の嵌合側面３、４のうち一方の嵌合側面３には、水平方向に延びる凸状部１１、１１が水平方向の全長に渡って形成されており（図２参照）、他方の嵌合側面４には、水平方向に延びる凹溝１２、１２が水平方向の全長に渡って形成されている（図３参照）。これら凸状部１１および凹溝１２は、敷設状態において隣り合う雨水貯留型舗装用ブロックＡ、Ａのうち一方の雨水貯留型舗装用ブロックＡの嵌合側面３に形成された凸状部１１が、他方の雨水貯留型舗装用ブロックＡの嵌合側面４に形成された凹溝１２に嵌合するようになっている。
なお、本実施形態において凸状部１１、１１および凹溝１２、１２は２条ずつ形成されているが、１条のみ形成されてもよいし、３条以上形成されてもよい。
【００１２】
図１に示すように、一対の非嵌合側面５、６のうち一方の非嵌合側面５には、水平方向に延びる水平目地保持突条２１と、垂直方向に延びる一対の垂直目地保持突条２２、２２が形成されている。水平目地保持突条２１は、非嵌合側面５と表面１とが接する縁に沿って、水平方向の全長に渡って形成されている。そのため、水平目地保持突条２１の上面は表面１と一体となっている。一方、垂直目地保持突条２２、２２は、非嵌合側面５と嵌合側面３、４とが接する縁から内側に所定間隔を隔てて形成されている。また、垂直目地保持突条２２、２２は、水平目地保持突条２１の直下から、底面２に至るまで形成されている。
【００１３】
図６に示すように、水平目地保持突条２１の断面は略台形であり、垂直目地保持突条２２の断面は略三角形である。また、垂直目地保持突条２２は、その突出高さが水平目地保持突条２１の突出高さに比べて高く形成されている。水平目地保持突条２１および垂直目地保持突条２２の突出高さは任意に設定されるが、例えば、水平目地保持突条２１の突出高さは約2mm、垂直目地保持突条２２の突出高さは約4mmに設定される。この場合、突出高さの差ｈは約2mmである。
このように垂直目地保持突条２２が水平目地保持突条２１に比べて高く形成されることによる効果は後に詳説する。
【００１４】
図５に示すように、他方の非嵌合側面６は、水平目地保持突条２１および垂直目地保持突条２２が形成されておらず、平坦となっている。
【００１５】
図４に示すように、表面１には、非嵌合側面５、６に対して直行する多数の横溝３１が形成されており、この多数の横溝３１により表面１に凹凸が形成されている。また、横溝３１は、その両端が表面１と非嵌合側面５、６とが接する縁まで達するように、表面１の全面に渡って形成されている。
【００１６】
図１に示すように、雨水貯留型舗装用ブロックＡには、その内部に空洞部４０、４０が形成されている。この空洞部４０、４０は、一対の非嵌合側面５、６を貫通するように形成されており、非嵌合側面５、６に開口を有している。ここで、非嵌合側面５側の開口は、水平目地保持突条２１および垂直目地保持突条２２、２２で囲まれた領域に位置している。
【００１７】
つぎに、雨水貯留型舗装用ブロックＡの敷設方法について説明する。
雨水貯留型舗装用ブロックＡは、例えば、歩道や公園などの歩行者用道路や、管理車両が乗り入れする舗装箇所、あるいは普通車程度の車両が乗入れする歩道や駐車場に敷設される。
図７に示すように、まず、敷設面に砂または不織布を敷いてフィルター層Ｆを形成し、そのフィルター層Ｆの上に砕石を敷いて砕石路盤Ｒを形成し、その砕石路盤Ｒの上に透水シートＷを敷いて、さらにその上にサンドクッション層Ｃを形成する。
つぎに、サンドクッション層Ｃの上に、複数の雨水貯留型舗装用ブロックＡを千鳥状に配置する。この際、ある一の雨水貯留型舗装用ブロックＡの非嵌合側面５が、他の一の雨水貯留型舗装用ブロックＡの非嵌合側面６と対向するよう配置され、列が形成される。また、列同士は、ある一の雨水貯留型舗装用ブロックＡの嵌合側面３が、隣接する２つの雨水貯留型舗装用ブロックＡの嵌合側面４と対向するよう配置される。
【００１８】
つぎに、隣り合う雨水貯留型舗装用ブロックＡ、Ａの間の目地部に目地砂を充填する。
このように、雨水貯留型舗装用ブロックＡは、通常のインターロッキングブロック工事と同様の方法で敷設されるので、専用機械や特殊作業員が必要なく、施工が容易で工期が短い。
【００１９】
図８（ａ）に示すように、敷設状態においては、隣り合う雨水貯留型舗装用ブロックＡ、Ａのうち一方の雨水貯留型舗装用ブロックＡの嵌合側面３に形成された凸状部１１が、他方の雨水貯留型舗装用ブロックＡの嵌合側面４に形成された凹溝１２に嵌合して、目地部における荷重分散性能が高められている。さらに、図８（ｂ）に示すように、嵌合側面３、４が対向する目地部には、凸状部１１および凹溝１２より上方に目地砂Ｓが充填されており、嵌合側面３、４と目地砂Ｓとの摩擦を高くし、目地部における荷重分散性能が高められている。そのため、雨水貯留型舗装用ブロックＡの不陸やガタつきを抑制できる。
【００２０】
また、図９に示すように、非嵌合側面５、６が対向する目地部にも目地砂Ｓが充填される。
ここで、前述のごとく、垂直目地保持突条２２は水平目地保持突条２１に比べて高く形成されているので、敷設状態において水平目地保持突条２１と隣り合う雨水貯留型舗装用ブロックＡの非嵌合側面６との間には、突出高さの差ｈの分だけ隙間ｏが確保される（図１０参照）。
【００２１】
そして、雨水貯留型舗装用ブロックＡの敷設時には、この隙間ｏから目地砂Ｓが充填されるため、水平目地保持突条２１と一対の垂直目地保持突条２２、２２とで囲まれた領域には、その下部にしか目地砂Ｓが充填されず、一対の垂直目地保持突条２２、２２の外側の領域には、その全部に目地砂Ｓが充填されるようになる。以下、水平目地保持突条２１と一対の垂直目地保持突条２２、２２とで囲まれた領域を目地砂非充填領域と称し、それ以外の領域を目地砂充填領域と称する。
なお、特許請求の範囲に記載の目地砂非充填領域は、基本的には目地砂Ｓが充填されないが、一部に目地砂Ｓが充填される場合も含む概念である。
【００２２】
ここで、空洞部４０は、目地砂Ｓが充填されない目地砂非充填領域に開口を有するので、敷設時に目地砂Ｓが空洞部４０に入り込むことを防止できる。そのため、空洞部４０の貯水性能を確保できる。
【００２３】
このように、非嵌合側面５、６を対向させて配置される雨水貯留型舗装用ブロックＡ、Ａ同士も、目地砂充填領域および目地砂非充填領域の下部に充填された目地砂Ｓにより目地部における荷重分散性能を高められる。そのため、雨水貯留型舗装用ブロックＡの不陸やガタつきを抑制できる。
【００２４】
図１１に示すように、以上の様に敷設された雨水貯留型舗装用ブロックＡに雨が降ると、その雨水は、表面１に形成された横溝３１により非嵌合側面５、６まで導かれ、非嵌合側面５、６が対向する目地に雨水を流すことができる。
ここで、横溝３１に非嵌合側面５、６の両方または片方に向かって下がる傾斜を設ければ、雨水をスムーズに流すことができるので好ましい。
【００２５】
そして、図１０に示すように、非嵌合側面５、６が対向する目地に確保された隙間ｏから、雨水を下方に流して目地砂非充填領域を通して地中に排出することができる。
ここで、隙間ｏには目地砂が充填されないため、非嵌合側面５、６が対向する目地に、ゴミや埃が溜まることがない。そのため、雨水の浸透効率の低下を防ぐことができる。
【００２６】
なお、図１２に示すように、水平目地保持突条２１が形成されていない方の非嵌合側面６に、横溝３１の端部に連通する多数の縦溝３２を形成してもよい。また、水平目地保持突条２１に、横溝３１の端部に連通する多数の縦溝３２を形成してもよい。また、非嵌合側面６および水平目地保持突条２１の両方に、横溝３１の端部に連通する多数の縦溝３２を形成してもよい。
横溝３１により非嵌合側面５、６まで導かれた雨水は、縦溝３２により非嵌合側面５、６が対向する目地の内部に導かれやすくなる。そのため、雨水の浸透効率を高くすることができる。
【００２７】
また、雨水貯留型舗装用ブロックＡは、ポーラスコンクリートなど、透水性を有する材料で形成される。そのため、雨水は目地から排出される以外にも、コンクリートの空隙を浸透して地中に排出される。
【００２８】
雨水の量が多い場合には、非嵌合側面５、６が対向する目地を通して、あるいはコンクリートの空隙を通して雨水が空洞部４０に貯留される。そして、一時的に雨水を空洞部４０に貯留した後に地中に排出される。このように、空洞部４０に雨水を貯留することで、集中豪雨や河川の氾濫による舗装面の浸水や水溜まりを緩和できる。
【００２９】
また、雨水貯留型舗装用ブロックＡを保水性の高い材料で形成すれば、空洞部４０に貯留した雨水を徐々に蒸発させ、その気化熱により舗装面の温度を低下させることができる。保水性の高い材料としては、微細な空隙を有し吸水性の高い軽石などが用いられる。または、雨水が雨水貯留型舗装用ブロックＡの内部に溜まるように、単一粒度の材料を用いてその材料の間隔が小さくなるような配合としたコンクリートなどが用いられる。
さらに、空洞部４０に保水材料を埋め込んでおけば、空洞部４０の貯水を長時間保持できるので、舗装面の温度低減効果を長時間持続させることができる。
【００３０】
なお、表面１には横溝３１により凹凸が形成されており、その凹凸が滑り止めとなり、雨天時においても歩行や走行の安全を確保できる。
ここで、横溝３１の幅寸法を、嵌合側面３、４が対向する目地の幅寸法と同じにすれば、車椅子などの走行時に、目地部で不快な振動が発生しにくくなるので好ましい。
【００３１】
なお、雨水貯留型舗装用ブロックＡの敷設において、雨水貯留型舗装用ブロックＡを非嵌合側面５、６が対向するように配置して形成された列の方向に勾配がある場合、その勾配の下端部に着脱可能なメンテナンス用のブロックを設置することが好ましい。
このように敷設すれば、空洞４０の内部に堆積したゴミや埃を取り除くことが可能となり、定期的にメンテナンスすることで雨水貯留機能を長期間において保つことができる。
【００３２】
また、空洞部４０は、一対の非嵌合側面５、６の両方に開口を有するように形成される以外にも、非嵌合側面５、６のいずれか一方に開口を有するように形成されてもよい。
例えば、雨水貯留型舗装用ブロックＡの列方向の勾配が急である場合、空洞部４０が貫通穴であると、空洞部４０に排出された雨水は、勾配の下端部に配置された雨水貯留型舗装用ブロックＡの空洞部４０に集まる。しかし、非嵌合側面５、６のいずれか一方が塞がっていれば、雨水貯留型舗装用ブロックＡの一つ一つに雨水が貯留でき、貯留の効率がよくなる。
【００３３】
（第２実施形態）
図１３に示すように、本発明の第２実施形態に係る雨水貯留型舗装用ブロックＢは、第１実施形態に係る雨水貯留型舗装用ブロックＡにおいて、水平目地保持突条２１および垂直目地保持突条２２、２２の形状、配置が異なるものである。
具体的には、水平目地保持突条２１は、非嵌合側面５と表面１とが接する縁から下方に所定間隔を隔てて、水平方向に形成されている。水平目地保持突条２１の両端は、非嵌合側面５と嵌合側面３、４とが接する縁までは延びておらず、その縁から所定間隔を隔てた所に位置している。また、垂直目地保持突条２２、２２は、非嵌合側面５と嵌合側面３、４とが接する縁から内側に所定間隔を隔てて、垂直方向に形成されている。そして、垂直目地保持突条２２、２２は、水平目地保持突条２１の両端から、底面２に至るまで形成されている。
なお、水平目地保持突条２１の、非嵌合側面５と表面１とが接する縁からの距離は、任意に設定されるが、例えば約5mmである。
【００３４】
図１４に示すように、水平目地保持突条２１の断面は矩形である。また、垂直目地保持突条２２は、その突出高さが水平目地保持突条２１の突出高さに比べて高く形成されている。水平目地保持突条２１および垂直目地保持突条２２の突出高さは任意に設定されるが、例えば、水平目地保持突条２１の突出高さは約3mm、垂直目地保持突条２２の突出高さは約4mmに設定される。この場合、突出高さの差は約1mmである。
【００３５】
そして、垂直目地保持突条２２は水平目地保持突条２１に比べて高く形成されているので、敷設状態において水平目地保持突条２１と隣り合う雨水貯留型舗装用ブロックＡの非嵌合側面６との間には、突出高さの差の分だけ隙間ｏが確保される。
その余の構成は、雨水貯留型舗装用ブロックＡと同様であるので、同一部材に同一符号を付して説明を省略する。
【００３６】
図１５に示すように、敷設状態においては、非嵌合側面５、６が対向する目地部に目地砂Ｓが充填される。この際、水平目地保持突条２１と一対の垂直目地保持突条２２、２２とで囲まれた目地砂非充填領域には目地砂Ｓが充填されず、水平目地保持突条２１および垂直目地保持突条２２、２２の外側の目地砂充填領域には目地砂Ｓが充填される。すなわち、本実施形態では、水平目地保持突条２１の上方にも目地砂Ｓが充填される。
【００３７】
ここで、充填する目地砂Ｓとして、粒径が隙間ｏより大きく、目地幅より小さいもの、好ましくは目地幅の１／３より小さいものを採用することで、上記のように目地砂充填領域のみに目地砂Ｓを充填することができる。例えば、隙間ｏが1mmであり、目地幅が4mmの場合には、粒径が1mm〜1.3mmの目地砂Ｓが採用される。
【００３８】
また、水平目地保持突条２１の両端は、非嵌合側面５と嵌合側面３、４とが接する縁から所定間隔を隔てた所に位置している。そのため、その隙間から目地砂Ｓが落下し垂直目地保持突条２２、２２の外側にも充填できる。
そして、垂直目地保持突条２２、２２は底面２に至るまで形成されているので、目地砂非充填領域への目地砂Ｓの進入を抑えることができる。
【００３９】
また、空洞部４０は、目地砂Ｓが充填されない目地砂非充填領域に開口を有するので、敷設時に目地砂Ｓが空洞部４０に入り込むことを防止できる。そのため、空洞部４０の貯水性能を確保できる。
【００４０】
以上のように、非嵌合側面５、６を対向させて配置される雨水貯留型舗装用ブロックＢ、Ｂ同士も、目地砂充填領域に充填された目地砂Ｓにより目地部における荷重分散性能を高められる。そのため、雨水貯留型舗装用ブロックＢの不陸やガタつきを抑制できる。
【００４１】
そして、敷設された雨水貯留型舗装用ブロックＢに雨が降ると、非嵌合側面５、６が対向する目地に確保された隙間ｏから、雨水を下方に流して目地砂非充填領域を通して地中に排出することができる。
【００４２】
水平目地保持突条２１の上方に充填された目地砂Ｓの量は少ないので、ゴミや埃が目地砂Ｓの隙間に入って目地が目詰りすることが抑制される。また、目地が目詰まりした場合であっても、わずかなゴミや埃は自然に洗い流される。また、ゴミや埃を高圧洗浄などで簡単に除去することができる。そのため、雨水の浸透効率の低下を防ぐことができる。
【００４３】
なお、図１６に示すように、水平目地保持突条２１の断面を略三角形としてもよい。水平目地保持突条２１の断面を略三角形とすることにより、水平目地保持突条２１の上面に、突条の峰に向かって下がる傾斜が形成される。
このような形状とすることで、目地砂Ｓの隙間に入ったゴミや埃が、水平目地保持突条２１の上面の傾斜により隙間ｏから下方へ落下しやすくなる。そのため、水平目地保持突条２１の上方に充填された目地砂Ｓにゴミや埃が溜まりにくい。また、目地が目詰まりした場合であっても、ゴミや埃は自然に、あるいは洗浄で簡単に除去することができる。そのため、雨水の浸透効率の低下を防ぐことができる。
【００４４】
また、図１７に示すように、水平目地保持突条２１の上面に、中央から両端に向かって下がる傾斜を形成してもよい。
このような形状とすることで、目地砂Ｓの隙間に入ったゴミや埃が、水平目地保持突条２１の上面の傾斜により、その両端から下方へ落下しやすくなる。そのため、水平目地保持突条２１の上方に充填された目地砂Ｓにゴミや埃が溜まりにくい。また、目地が目詰まりした場合であっても、ゴミや埃は自然に、あるいは洗浄で簡単に除去することができる。そのため、雨水の浸透効率の低下を防ぐことができる。
【００４５】
また、図１８に示すように、非嵌合側面５の下方の垂直目地保持突条２２、２２の間に水平方向に延びる下部突条２３を形成してもよい。
下部突条２３を設けることにより、雨水貯留型舗装用ブロックＢに大量の雨水が浸透した場合でも、敷設面に敷かれたサンドクッション層Ｃの砂が、目地砂非充填領域や空洞部４０に上昇してくることを防止できる。
【００４６】
（その他の実施形態）
上記実施形態では、ブロックの内部に空洞部４０、４０を設けたが、この空洞部４０を設けない実施形態としてもよい。この場合でも、雨水貯留型舗装用ブロックを保水性を有する材料で形成することにより、雨水の貯水性能を得ることができる。
【００４７】
また、上記実施形態では、水平目地保持突条２１と一対の垂直目地保持突条２２、２２は、一方の非嵌合側面５に形成されているが、これらの内の一部を他方の非嵌合側面６に形成してもよい。例えば、一方の非嵌合側面５に水平目地保持突条２１を形成し、他方の非嵌合側面６に一対の垂直目地保持突条２２、２２を形成してもよいし、一方の非嵌合側面５に一の垂直目地保持突条２２を形成し、他方の非嵌合側面６に他の一の垂直目地保持突条２２を形成してもよい。
【符号の説明】
【００４８】
１      表面
２      底面
３、４  嵌合側面
５、６  非嵌合側面
１１    凸状部
１２    凹溝
２１    水平目地保持突条
２２    垂直目地保持突条
３１    横溝
４０    空洞部
【図１】
2013091974.tif 000003
【図２】
2013091974.tif 000004
【図３】
2013091974.tif 000005
【図４】
2013091974.tif 000006
【図５】
2013091974.tif 000007
【図６】
2013091974.tif 000008
【図７】
2013091974.tif 000009
【図８】
2013091974.tif 000010
【図９】
2013091974.tif 000011
【図１０】
2013091974.tif 000012
【図１１】
2013091974.tif 000013
【図１２】
2013091974.tif 000014
【図１３】
2013091974.tif 000015
【図１４】
2013091974.tif 000016
【図１５】
2013091974.tif 000017
【図１６】
2013091974.tif 000018
【図１７】
2013091974.tif 000019
【図１８】
2013091974.tif 000020
【手続補正書】
【提出日】平成24年3月22日(2012.3.22)
【手続補正１】
【補正対象書類名】明細書
【補正対象項目名】全文
【補正方法】変更
【補正の内容】
【発明の詳細な説明】
【技術分野】
【０００１】
本発明は、雨水貯留型舗装用ブロックに関する。さらに詳しくは、雨水をブロックの内部に貯留する雨水貯留型舗装用ブロックに関する。
【背景技術】
【０００２】
一般に、舗装用ブロックは、隣り合うブロックの間の目地部に目地砂を充填し、ブロックと目地砂との摩擦を高くし、目地部における荷重分散性能（ブロック表面に作用する車輪などの荷重をブロック相互のかみ合わせにより広い範囲に分散させ、路盤に作用する荷重を低減させる性能）を高めることで、舗装用ブロックの不陸やガタつきを抑制している。
一方、雨水貯留型舗装用ブロックは、保水性を有する材料で形成され、場合によってはさらにブロックの内部に雨水を貯留する空洞が形成されたものである。雨水貯留型舗装用ブロックは、一般的な透水性舗装用ブロックに比べて雨水の貯水量が多いため、集中豪雨や河川の氾濫による舗装面の浸水や水溜まりを緩和できる。
【０００３】
一般に、雨水貯留型舗装用ブロックは、ポーラス状のブロック内の空隙に雨水を浸透させてブロックの内部に雨水を貯留した後に地中に排出する他、隣り合うブロックの間の目地に雨水を流してブロックの内部に雨水を貯留した後に、または直接地中に排出する。
そのため、雨水貯留型舗装用ブロックの場合に、目地部に目地砂を充填すると、雨水の浸透効率が低下するという問題がある。また、目地砂にゴミや埃が溜まると、目詰りにより雨水の浸透を妨げるという問題がある。
【０００４】
この点、目地砂を使用しないことにより、目地の目詰りによる雨水の浸透効率の低下を防ぐ技術が提案されている（例えば、特許文献１）。
しかし、目地砂を使用しないことから、目地部における荷重分散性能が極端に低く、雨水貯留型舗装用ブロックの不陸やガタつきが生じやすく、ブロックの破損が生じやすいという問題がある。
【先行技術文献】
【特許文献】
【０００５】
【特許文献１】特開２００２−２６６３０４号公報
【発明の概要】
【発明が解決しようとする課題】
【０００６】
本発明は上記事情に鑑み、雨水の浸透効率の低下を防ぎ、かつ不陸やガタつきを抑制できる雨水貯留型舗装用ブロックを提供することを目的とする。
【課題を解決するための手段】
【０００７】
第１発明の雨水貯留型舗装用ブロックは、表面と、底面と、対向する位置に配置された一対の嵌合側面と、他の対向する位置に配置された一対の非嵌合側面とから、略直方体に形成されたブロックであって、一方の前記嵌合側面には、水平方向に延びる凸状部が形成されており、他方の前記嵌合側面には、前記凸状部が嵌合される凹溝が形成されており、前記一対の非嵌合側面には、水平方向に延びる水平目地保持突条が、前記表面との縁の近傍に形成されており、垂直方向に延びる一対の垂直目地保持突条が、前記一対の嵌合側面との縁から所定間隔を隔てて形成されており、前記一対の垂直目地保持突条は、その突出高さが前記水平目地保持突条の突出高さに比べて高く形成されていることを特徴とする。
第２発明の雨水貯留型舗装用ブロックは、第１発明において、前記水平目地保持突条は、前記表面との縁に沿って形成されていることを特徴とする。
第３発明の雨水貯留型舗装用ブロックは、第１発明において、前記水平目地保持突条は、前記表面との縁から所定間隔を隔てて形成されていることを特徴とする。
第４発明の雨水貯留型舗装用ブロックは、第３発明において、前記水平目地保持突条は、その上面に、突条の峰に向かって下がる傾斜が形成されていることを特徴とする。
第５発明の雨水貯留型舗装用ブロックは、第３発明において、前記水平目地保持突条は、その上面に、中央から両端に向かって下がる傾斜が形成されていることを特徴とする。
第６発明の雨水貯留型舗装用ブロックは、第１、第２、第３、第４または第５発明において、前記表面には、前記非嵌合側面に対して直行し、該非嵌合側面との縁に端部を有する多数の横溝が形成されていることを特徴とする。
第７発明の雨水貯留型舗装用ブロックは、第６発明において、前記非嵌合側面には、前記横溝の端部に連通する多数の縦溝が形成されていることを特徴とする。
第８発明の雨水貯留型舗装用ブロックは、第１、第２、第３、第４、第５、第６または第７発明において、前記目地砂非充填領域に開口を有する空洞部がブロック内部に形成されていることを特徴とする。
【発明の効果】
【０００８】
第１発明によれば、非嵌合側面に水平目地保持突条および一対の垂直目地保持突条が形成されているので、敷設状態において非嵌合側面が対向する目地部に目地砂を充填すると、水平目地保持突条と一対の垂直目地保持突条とで囲まれた領域は、目地砂が充填されない目地砂非充填領域となり、目地砂非充填領域以外の領域は、目地砂が充填される目地砂充填領域となる。また、垂直目地保持突条はその突出高さが水平目地保持突条の突出高さに比べて高く形成されているので、敷設状態において水平目地保持突条と隣り合う雨水貯留型舗装用ブロックとの間に隙間が確保でき、その隙間から雨水を流して目地砂非充填領域を通して地中に排出することができる。そのため、雨水の浸透効率の低下を防ぐことができる。また、敷設状態において、嵌合側面を対向させて配置される雨水貯留型舗装用ブロック同士は、一方の凸状部が他方の凹溝に嵌合して目地部における荷重分散性能が高められ、非嵌合側面を対向させて配置される雨水貯留型舗装用ブロック同士は、目地砂充填領域に充填された目地砂により目地部における荷重分散性能を高められる。そのため、雨水貯留型舗装用ブロックの不陸やガタつきを抑制できる。
第２発明によれば、水平目地保持突条は表面との縁に沿って形成されているので、水平目地保持突条と隣り合う雨水貯留型舗装用ブロックとの間の隙間に目地砂が充填されず、非嵌合側面が対向する目地に、ゴミや埃が溜まることがない。そのため、雨水の浸透効率の低下を防ぐことができる。
第３発明によれば、水平目地保持突条は表面との縁から所定間隔を隔てて形成されているので、水平目地保持突条の上方に充填される目地砂の量が少なくなる。そのため、ゴミや埃が目地砂の隙間に入って目地が目詰りすることが抑制される。また、目地が目詰まりした場合であっても、ゴミや埃は自然に、あるいは洗浄で簡単に除去することができる。そのため、雨水の浸透効率の低下を防ぐことができる。
第４発明によれば、水平目地保持突条はその上面に突条の峰に向かって下がる傾斜が形成されているので、ゴミや埃はその傾斜により下方へ落下し、水平目地保持突条の上方に充填された目地砂にゴミや埃が溜まりにくい。そのため、雨水の浸透効率の低下を防ぐことができる。
第５発明によれば、水平目地保持突条はその上面に中央から両端に向かって下がる傾斜が形成されているので、ゴミや埃はその傾斜により下方へ落下し、水平目地保持突条の上方に充填された目地砂にゴミや埃が溜まりにくい。そのため、雨水の浸透効率の低下を防ぐことができる。
第６発明によれば、表面に非嵌合側面との縁に端部を有する多数の横溝が形成されているので、表面に降った雨水はその横溝により非嵌合側面まで導かれ、非嵌合側面が対向する目地に雨水を流して地中に排出することができる。そのため、雨水の浸透効率を高くすることができる。また、横溝で形成される凹凸が滑り止めとなり、雨天時においても歩行や走行の安全を確保できる。
第７発明によれば、表面に形成された横溝の端部に連通する多数の縦溝が非嵌合側面に形成されているので、横溝により非嵌合側面まで導かれた雨水は、縦溝により非嵌合側面が対向する目地の内部に導かれやすくなる。そのため、雨水の浸透効率を高くすることができる。
第８発明によれば、空洞部がブロック内部に形成されているので、その空洞部に雨水を一時貯留した後に地中に排出することで、集中豪雨や河川の氾濫による舗装面の浸水を緩和できる。また、空洞部は目地砂非充填領域に開口を有するので、敷設時に目地砂が空洞部に入り込むことを防止できる。そのため、空洞部の貯水性能を確保できる。
【図面の簡単な説明】
【０００９】
【図１】本発明の第１実施形態に係る雨水貯留型舗装用ブロックの正面図である。
【図２】同雨水貯留型舗装用ブロックの右側面図である。
【図３】同雨水貯留型舗装用ブロックの左側面図である。
【図４】同雨水貯留型舗装用ブロックの平面図である。
【図５】同雨水貯留型舗装用ブロックの背面図である。
【図６】（ａ）図は図３におけるａ部分の拡大図、（ｂ）図は図４におけるｂ部分の拡大図である。
【図７】（ａ）図は同雨水貯留型舗装用ブロックの敷設状態の斜視図であり、（ｂ）図は（ａ）図におけるb矢視図である。
【図８】（ａ）図は同雨水貯留型舗装用ブロックの敷設状態の正面図、（ｂ）図は（ａ）図におけるｃ部分の拡大図である。
【図９】同雨水貯留型舗装用ブロックの敷設状態の正面図である。
【図１０】（ａ）図は図９におけるXa-Xa線矢視断面図、（ｂ）図は（ａ）図におけるｄ部分の拡大図である。
【図１１】（ａ）図は同雨水貯留型舗装用ブロックの斜視図、（ｂ）図は（ａ）図におけるｅ部分の拡大図である。
【図１２】（ａ）図は他の実施形態に係る雨水貯留型舗装用ブロックの斜視図、（ｂ）図は（ａ）図におけるｆ部分の拡大図である。
【図１３】本発明の第２実施形態に係る雨水貯留型舗装用ブロックの正面図である。
【図１４】（ａ）図は同雨水貯留型舗装用ブロックの敷設状態の側面図、（ｂ）図は（ａ）図におけるｇ部分の拡大図である。
【図１５】同雨水貯留型舗装用ブロックの敷設状態の正面図である。
【図１６】（ａ）図は他の実施形態に係る雨水貯留型舗装用ブロックの敷設状態の側面図、（ｂ）図は（ａ）図におけるｉ部分の拡大図である。
【図１７】（ａ）図はさらに他の実施形態に係る雨水貯留型舗装用ブロックの敷設状態の正面、（ｂ）図は（ａ）図におけるｊ部分の拡大図である。
【図１８】さらに他の実施形態に係る雨水貯留型舗装用ブロックの敷設状態の正面図である。
【発明を実施するための形態】
【００１０】
つぎに、本発明の実施形態を図面に基づき説明する。
（第１実施形態）
まず、本発明の第１実施形態に係る雨水貯留型舗装用ブロックＡの形状について説明する。
図１から図５に示すように、雨水貯留型舗装用ブロックＡは、敷設状態において舗装面となる表面１と、底面２と、表面１および底面２の間の４つの側面３、４、５、６とから、略直方体に形成されたブロックである。
以下、説明のため、側面３、４、５、６のうち、対向する位置に配置された一対の側面を嵌合側面３、４と称し、他の対向する位置に配置された一対の側面を非嵌合側面５、６と称する。また、本明細書において水平、垂直は、雨水貯留型舗装用ブロックＡを底面２を水平面に載置した状態における水平、垂直をいう。
【００１１】
一対の嵌合側面３、４のうち一方の嵌合側面３には、水平方向に延びる凸状部１１、１１が水平方向の全長に渡って形成されており（図２参照）、他方の嵌合側面４には、水平方向に延びる凹溝１２、１２が水平方向の全長に渡って形成されている（図３参照）。これら凸状部１１および凹溝１２は、敷設状態において隣り合う雨水貯留型舗装用ブロックＡ、Ａのうち一方の雨水貯留型舗装用ブロックＡの嵌合側面３に形成された凸状部１１が、他方の雨水貯留型舗装用ブロックＡの嵌合側面４に形成された凹溝１２に嵌合するようになっている。
なお、本実施形態において凸状部１１、１１および凹溝１２、１２は２条ずつ形成されているが、１条のみ形成されてもよいし、３条以上形成されてもよい。
【００１２】
図１に示すように、一対の非嵌合側面５、６のうち一方の非嵌合側面５には、水平方向に延びる水平目地保持突条２１と、垂直方向に延びる一対の垂直目地保持突条２２、２２が形成されている。水平目地保持突条２１は、非嵌合側面５と表面１とが接する縁に沿って、水平方向の全長に渡って形成されている。そのため、水平目地保持突条２１の上面は表面１と一体となっている。一方、垂直目地保持突条２２、２２は、非嵌合側面５と嵌合側面３、４とが接する縁から内側に所定間隔を隔てて形成されている。また、垂直目地保持突条２２、２２は、水平目地保持突条２１の直下から、底面２に至るまで形成されている。
【００１３】
図６に示すように、水平目地保持突条２１の断面は略台形であり、垂直目地保持突条２２の断面は略三角形である。また、垂直目地保持突条２２は、その突出高さが水平目地保持突条２１の突出高さに比べて高く形成されている。水平目地保持突条２１および垂直目地保持突条２２の突出高さは任意に設定されるが、例えば、水平目地保持突条２１の突出高さは約2mm、垂直目地保持突条２２の突出高さは約4mmに設定される。この場合、突出高さの差ｈは約2mmである。
このように垂直目地保持突条２２が水平目地保持突条２１に比べて高く形成されることによる効果は後に詳説する。
【００１４】
図５に示すように、他方の非嵌合側面６は、水平目地保持突条２１および垂直目地保持突条２２が形成されておらず、平坦となっている。
【００１５】
図４に示すように、表面１には、非嵌合側面５、６に対して直行する多数の横溝３１が形成されており、この多数の横溝３１により表面１に凹凸が形成されている。また、横溝３１は、その両端が表面１と非嵌合側面５、６とが接する縁まで達するように、表面１の全面に渡って形成されている。
【００１６】
図１に示すように、雨水貯留型舗装用ブロックＡには、その内部に空洞部４０、４０が形成されている。この空洞部４０、４０は、一対の非嵌合側面５、６を貫通するように形成されており、非嵌合側面５、６に開口を有している。ここで、非嵌合側面５側の開口は、水平目地保持突条２１および垂直目地保持突条２２、２２で囲まれた領域に位置している。
【００１７】
つぎに、雨水貯留型舗装用ブロックＡの敷設方法について説明する。
雨水貯留型舗装用ブロックＡは、例えば、歩道や公園などの歩行者用道路や、管理車両が乗り入れする舗装箇所、あるいは普通車程度の車両が乗入れする歩道や駐車場に敷設される。
図７に示すように、まず、敷設面に砂または不織布を敷いてフィルター層Ｆを形成し、そのフィルター層Ｆの上に砕石を敷いて砕石路盤Ｒを形成し、その砕石路盤Ｒの上に透水シートＷを敷いて、さらにその上にサンドクッション層Ｃを形成する。
つぎに、サンドクッション層Ｃの上に、複数の雨水貯留型舗装用ブロックＡを千鳥状に配置する。この際、ある一の雨水貯留型舗装用ブロックＡの非嵌合側面５が、他の一の雨水貯留型舗装用ブロックＡの非嵌合側面６と対向するよう配置され、列が形成される。また、列同士は、ある一の雨水貯留型舗装用ブロックＡの嵌合側面３が、隣接する２つの雨水貯留型舗装用ブロックＡの嵌合側面４と対向するよう配置される。
【００１８】
つぎに、隣り合う雨水貯留型舗装用ブロックＡ、Ａの間の目地部に目地砂を充填する。
このように、雨水貯留型舗装用ブロックＡは、通常のインターロッキングブロック工事と同様の方法で敷設されるので、専用機械や特殊作業員が必要なく、施工が容易で工期が短い。
【００１９】
図８（ａ）に示すように、敷設状態においては、隣り合う雨水貯留型舗装用ブロックＡ、Ａのうち一方の雨水貯留型舗装用ブロックＡの嵌合側面３に形成された凸状部１１が、他方の雨水貯留型舗装用ブロックＡの嵌合側面４に形成された凹溝１２に嵌合して、目地部における荷重分散性能が高められている。さらに、図８（ｂ）に示すように、嵌合側面３、４が対向する目地部には、凸状部１１および凹溝１２より上方に目地砂Ｓが充填されており、嵌合側面３、４と目地砂Ｓとの摩擦を高くし、目地部における荷重分散性能が高められている。そのため、雨水貯留型舗装用ブロックＡの不陸やガタつきを抑制できる。
【００２０】
また、図９に示すように、非嵌合側面５、６が対向する目地部にも目地砂Ｓが充填される。
ここで、前述のごとく、垂直目地保持突条２２は水平目地保持突条２１に比べて高く形成されているので、敷設状態において水平目地保持突条２１と隣り合う雨水貯留型舗装用ブロックＡの非嵌合側面６との間には、突出高さの差ｈの分だけ隙間ｏが確保される（図１０参照）。
【００２１】
そして、雨水貯留型舗装用ブロックＡの敷設時には、この隙間ｏから目地砂Ｓが充填されるため、水平目地保持突条２１と一対の垂直目地保持突条２２、２２とで囲まれた領域には、その下部にしか目地砂Ｓが充填されず、一対の垂直目地保持突条２２、２２の外側の領域には、その全部に目地砂Ｓが充填されるようになる。以下、水平目地保持突条２１と一対の垂直目地保持突条２２、２２とで囲まれた領域を目地砂非充填領域と称し、それ以外の領域を目地砂充填領域と称する。
なお、特許請求の範囲に記載の目地砂非充填領域は、基本的には目地砂Ｓが充填されないが、一部に目地砂Ｓが充填される場合も含む概念である。
【００２２】
ここで、空洞部４０は、目地砂Ｓが充填されない目地砂非充填領域に開口を有するので、敷設時に目地砂Ｓが空洞部４０に入り込むことを防止できる。そのため、空洞部４０の貯水性能を確保できる。
【００２３】
このように、非嵌合側面５、６を対向させて配置される雨水貯留型舗装用ブロックＡ、Ａ同士も、目地砂充填領域および目地砂非充填領域の下部に充填された目地砂Ｓにより目地部における荷重分散性能を高められる。そのため、雨水貯留型舗装用ブロックＡの不陸やガタつきを抑制できる。
【００２４】
図１１に示すように、以上の様に敷設された雨水貯留型舗装用ブロックＡに雨が降ると、その雨水は、表面１に形成された横溝３１により非嵌合側面５、６まで導かれ、非嵌合側面５、６が対向する目地に雨水を流すことができる。
ここで、横溝３１に非嵌合側面５、６の両方または片方に向かって下がる傾斜を設ければ、雨水をスムーズに流すことができるので好ましい。
【００２５】
そして、図１０に示すように、非嵌合側面５、６が対向する目地に確保された隙間ｏから、雨水を下方に流して目地砂非充填領域を通して地中に排出することができる。
ここで、隙間ｏには目地砂が充填されないため、非嵌合側面５、６が対向する目地に、ゴミや埃が溜まることがない。そのため、雨水の浸透効率の低下を防ぐことができる。
【００２６】
なお、図１２に示すように、水平目地保持突条２１が形成されていない方の非嵌合側面６に、横溝３１の端部に連通する多数の縦溝３２を形成してもよい。また、水平目地保持突条２１に、横溝３１の端部に連通する多数の縦溝３２を形成してもよい。また、非嵌合側面６および水平目地保持突条２１の両方に、横溝３１の端部に連通する多数の縦溝３２を形成してもよい。
横溝３１により非嵌合側面５、６まで導かれた雨水は、縦溝３２により非嵌合側面５、６が対向する目地の内部に導かれやすくなる。そのため、雨水の浸透効率を高くすることができる。
【００２７】
また、雨水貯留型舗装用ブロックＡは、ポーラスコンクリートなど、透水性を有する材料で形成される。そのため、雨水は目地から排出される以外にも、コンクリートの空隙を浸透して地中に排出される。
【００２８】
雨水の量が多い場合には、非嵌合側面５、６が対向する目地を通して、あるいはコンクリートの空隙を通して雨水が空洞部４０に貯留される。そして、一時的に雨水を空洞部４０に貯留した後に地中に排出される。このように、空洞部４０に雨水を貯留することで、集中豪雨や河川の氾濫による舗装面の浸水や水溜まりを緩和できる。
【００２９】
また、雨水貯留型舗装用ブロックＡを保水性の高い材料で形成すれば、空洞部４０に貯留した雨水を徐々に蒸発させ、その気化熱により舗装面の温度を低下させることができる。保水性の高い材料としては、微細な空隙を有し吸水性の高い軽石などが用いられる。または、雨水が雨水貯留型舗装用ブロックＡの内部に溜まるように、単一粒度の材料を用いてその材料の間隔が小さくなるような配合としたコンクリートなどが用いられる。
さらに、空洞部４０に保水材料を埋め込んでおけば、空洞部４０の貯水を長時間保持できるので、舗装面の温度低減効果を長時間持続させることができる。
【００３０】
なお、表面１には横溝３１により凹凸が形成されており、その凹凸が滑り止めとなり、雨天時においても歩行や走行の安全を確保できる。
ここで、横溝３１の幅寸法を、嵌合側面３、４が対向する目地の幅寸法と同じにすれば、車椅子などの走行時に、目地部で不快な振動が発生しにくくなるので好ましい。
【００３１】
なお、雨水貯留型舗装用ブロックＡの敷設において、雨水貯留型舗装用ブロックＡを非嵌合側面５、６が対向するように配置して形成された列の方向に勾配がある場合、その勾配の下端部に着脱可能なメンテナンス用のブロックを設置することが好ましい。
このように敷設すれば、空洞４０の内部に堆積したゴミや埃を取り除くことが可能となり、定期的にメンテナンスすることで雨水貯留機能を長期間において保つことができる。
【００３２】
また、空洞部４０は、一対の非嵌合側面５、６の両方に開口を有するように形成される以外にも、非嵌合側面５、６のいずれか一方に開口を有するように形成されてもよい。
例えば、雨水貯留型舗装用ブロックＡの列方向の勾配が急である場合、空洞部４０が貫通穴であると、空洞部４０に排出された雨水は、勾配の下端部に配置された雨水貯留型舗装用ブロックＡの空洞部４０に集まる。しかし、非嵌合側面５、６のいずれか一方が塞がっていれば、雨水貯留型舗装用ブロックＡの一つ一つに雨水が貯留でき、貯留の効率がよくなる。
【００３３】
（第２実施形態）
図１３に示すように、本発明の第２実施形態に係る雨水貯留型舗装用ブロックＢは、第１実施形態に係る雨水貯留型舗装用ブロックＡにおいて、水平目地保持突条２１および垂直目地保持突条２２、２２の形状、配置が異なるものである。
具体的には、水平目地保持突条２１は、非嵌合側面５と表面１とが接する縁から下方に所定間隔を隔てて、水平方向に形成されている。水平目地保持突条２１の両端は、非嵌合側面５と嵌合側面３、４とが接する縁までは延びておらず、その縁から所定間隔を隔てた所に位置している。また、垂直目地保持突条２２、２２は、非嵌合側面５と嵌合側面３、４とが接する縁から内側に所定間隔を隔てて、垂直方向に形成されている。そして、垂直目地保持突条２２、２２は、水平目地保持突条２１の両端から、底面２に至るまで形成されている。
なお、水平目地保持突条２１の、非嵌合側面５と表面１とが接する縁からの距離は、任意に設定されるが、例えば約5mmである。
【００３４】
図１４に示すように、水平目地保持突条２１の断面は矩形である。また、垂直目地保持突条２２は、その突出高さが水平目地保持突条２１の突出高さに比べて高く形成されている。水平目地保持突条２１および垂直目地保持突条２２の突出高さは任意に設定されるが、例えば、水平目地保持突条２１の突出高さは約3mm、垂直目地保持突条２２の突出高さは約4mmに設定される。この場合、突出高さの差は約1mmである。
【００３５】
そして、垂直目地保持突条２２は水平目地保持突条２１に比べて高く形成されているので、敷設状態において水平目地保持突条２１と隣り合う雨水貯留型舗装用ブロックＡの非嵌合側面６との間には、突出高さの差の分だけ隙間ｏが確保される。
その余の構成は、雨水貯留型舗装用ブロックＡと同様であるので、同一部材に同一符号を付して説明を省略する。
【００３６】
図１５に示すように、敷設状態においては、非嵌合側面５、６が対向する目地部に目地砂Ｓが充填される。この際、水平目地保持突条２１と一対の垂直目地保持突条２２、２２とで囲まれた目地砂非充填領域には目地砂Ｓが充填されず、水平目地保持突条２１および垂直目地保持突条２２、２２の外側の目地砂充填領域には目地砂Ｓが充填される。すなわち、本実施形態では、水平目地保持突条２１の上方にも目地砂Ｓが充填される。
【００３７】
ここで、充填する目地砂Ｓとして、粒径が隙間ｏより大きく、目地幅より小さいもの、好ましくは目地幅の１／３より小さいものを採用することで、上記のように目地砂充填領域のみに目地砂Ｓを充填することができる。例えば、隙間ｏが1mmであり、目地幅が4mmの場合には、粒径が1mm〜1.3mmの目地砂Ｓが採用される。
【００３８】
また、水平目地保持突条２１の両端は、非嵌合側面５と嵌合側面３、４とが接する縁から所定間隔を隔てた所に位置している。そのため、その隙間から目地砂Ｓが落下し垂直目地保持突条２２、２２の外側にも充填できる。
そして、垂直目地保持突条２２、２２は底面２に至るまで形成されているので、目地砂非充填領域への目地砂Ｓの進入を抑えることができる。
【００３９】
また、空洞部４０は、目地砂Ｓが充填されない目地砂非充填領域に開口を有するので、敷設時に目地砂Ｓが空洞部４０に入り込むことを防止できる。そのため、空洞部４０の貯水性能を確保できる。
【００４０】
以上のように、非嵌合側面５、６を対向させて配置される雨水貯留型舗装用ブロックＢ、Ｂ同士も、目地砂充填領域に充填された目地砂Ｓにより目地部における荷重分散性能を高められる。そのため、雨水貯留型舗装用ブロックＢの不陸やガタつきを抑制できる。
【００４１】
そして、敷設された雨水貯留型舗装用ブロックＢに雨が降ると、非嵌合側面５、６が対向する目地に確保された隙間ｏから、雨水を下方に流して目地砂非充填領域を通して地中に排出することができる。
【００４２】
水平目地保持突条２１の上方に充填された目地砂Ｓの量は少ないので、ゴミや埃が目地砂Ｓの隙間に入って目地が目詰りすることが抑制される。また、目地が目詰まりした場合であっても、わずかなゴミや埃は自然に洗い流される。また、ゴミや埃を高圧洗浄などで簡単に除去することができる。そのため、雨水の浸透効率の低下を防ぐことができる。
【００４３】
なお、図１６に示すように、水平目地保持突条２１の断面を略三角形としてもよい。水平目地保持突条２１の断面を略三角形とすることにより、水平目地保持突条２１の上面に、突条の峰に向かって下がる傾斜が形成される。
このような形状とすることで、目地砂Ｓの隙間に入ったゴミや埃が、水平目地保持突条２１の上面の傾斜により隙間ｏから下方へ落下しやすくなる。そのため、水平目地保持突条２１の上方に充填された目地砂Ｓにゴミや埃が溜まりにくい。また、目地が目詰まりした場合であっても、ゴミや埃は自然に、あるいは洗浄で簡単に除去することができる。そのため、雨水の浸透効率の低下を防ぐことができる。
【００４４】
また、図１７に示すように、水平目地保持突条２１の上面に、中央から両端に向かって下がる傾斜を形成してもよい。
このような形状とすることで、目地砂Ｓの隙間に入ったゴミや埃が、水平目地保持突条２１の上面の傾斜により、その両端から下方へ落下しやすくなる。そのため、水平目地保持突条２１の上方に充填された目地砂Ｓにゴミや埃が溜まりにくい。また、目地が目詰まりした場合であっても、ゴミや埃は自然に、あるいは洗浄で簡単に除去することができる。そのため、雨水の浸透効率の低下を防ぐことができる。
【００４５】
また、図１８に示すように、非嵌合側面５の下方の垂直目地保持突条２２、２２の間に水平方向に延びる下部突条２３を形成してもよい。
下部突条２３を設けることにより、雨水貯留型舗装用ブロックＢに大量の雨水が浸透した場合でも、敷設面に敷かれたサンドクッション層Ｃの砂が、目地砂非充填領域や空洞部４０に上昇してくることを防止できる。
【００４６】
（その他の実施形態）
上記実施形態では、ブロックの内部に空洞部４０、４０を設けたが、この空洞部４０を設けない実施形態としてもよい。この場合でも、雨水貯留型舗装用ブロックを保水性を有する材料で形成することにより、雨水の貯水性能を得ることができる。
【００４７】
また、上記実施形態では、水平目地保持突条２１と一対の垂直目地保持突条２２、２２は、一方の非嵌合側面５に形成されているが、これらの内の一部を他方の非嵌合側面６に形成してもよい。例えば、一方の非嵌合側面５に水平目地保持突条２１を形成し、他方の非嵌合側面６に一対の垂直目地保持突条２２、２２を形成してもよいし、一方の非嵌合側面５に一の垂直目地保持突条２２を形成し、他方の非嵌合側面６に他の一の垂直目地保持突条２２を形成してもよい。
【符号の説明】
【００４８】
１      表面
２      底面
３、４  嵌合側面
５、６  非嵌合側面
１１    凸状部
１２    凹溝
２１    水平目地保持突条
２２    垂直目地保持突条
３１    横溝
４０    空洞部
【手続補正２】
【補正対象書類名】特許請求の範囲
【補正対象項目名】全文
【補正方法】変更
【補正の内容】
【特許請求の範囲】
【請求項１】
表面と、底面と、対向する位置に配置された一対の嵌合側面と、他の対向する位置に配置された一対の非嵌合側面とから、略直方体に形成されたブロックであって、
一方の前記嵌合側面には、水平方向に延びる凸状部が形成されており、
他方の前記嵌合側面には、前記凸状部が嵌合される凹溝が形成されており、
前記一対の非嵌合側面には、
水平方向に延びる水平目地保持突条が、前記表面との縁の近傍に形成されており、
垂直方向に延びる一対の垂直目地保持突条が、前記一対の嵌合側面との縁から所定間隔を隔てて形成されており、
前記一対の垂直目地保持突条は、その突出高さが前記水平目地保持突条の突出高さに比べて高く形成されている
ことを特徴とする雨水貯留型舗装用ブロック。
【請求項２】
前記水平目地保持突条は、前記表面との縁に沿って形成されている
ことを特徴とする請求項１記載の雨水貯留型舗装用ブロック。
【請求項３】
前記水平目地保持突条は、前記表面との縁から所定間隔を隔てて形成されている
ことを特徴とする請求項１記載の雨水貯留型舗装用ブロック。
【請求項４】
前記水平目地保持突条は、その上面に、突条の峰に向かって下がる傾斜が形成されている
ことを特徴とする請求項３記載の雨水貯留型舗装用ブロック。
【請求項５】
前記水平目地保持突条は、その上面に、中央から両端に向かって下がる傾斜が形成されている
ことを特徴とする請求項３記載の雨水貯留型舗装用ブロック。
【請求項６】
前記表面には、前記非嵌合側面に対して直行し、該非嵌合側面との縁に端部を有する多数の横溝が形成されている
ことを特徴とする請求項１、２、３、４または５記載の雨水貯留型舗装用ブロック。
【請求項７】
前記非嵌合側面には、前記横溝の端部に連通する多数の縦溝が形成されている
ことを特徴とする請求項６記載の雨水貯留型舗装用ブロック。
【請求項８】
前記目地砂非充填領域に開口を有する空洞部がブロック内部に形成されている
ことを特徴とする請求項１、２、３、４、５、６または７記載の雨水貯留型舗装用ブロック。